(57)【特許請求の範囲】
【請求項１】
輪列を形成する連続した少なくとも三つの番車を有するとともに、巻真の回転が前記輪列に取り付けられた分針に伝達される状態では、前記各番車のうちの中央の番車を外しレバーで傾けることにより、この中央の番車と該番車に対して増速側の番車との噛合を維持しながら前記中央の番車と該番車に対して減速側の番車との噛合を外すか、または前記中央の番車と前記減速側の番車との噛合を維持しながら前記中央の番車と前記増速側の番車との噛合を外すように構成された切換構造を有する指針表示式時計であって、
前記外しレバーは、前記中央の番車の軸方向のアガキを規定する規定部材に対して前記番車の軸方向の外側に配置されていることを特徴とする指針表示式時計。
【請求項２】
請求項１に記載の指針表示式時計において、前記規定部材は輪列受であることを特徴とする指針表示式時計。
【請求項３】
請求項１または請求項２に記載の指針表示式時計において、前記外しレバーは、前記規定部材に対して前記番車の軸方向の外側に配置された保持部材との間に所定のアガキをもって介装されていることを特徴とする指針表示式時計。
【請求項４】
請求項１〜３のいずれかに記載の指針表示式時計において、前記外しレバーおよび前記規制部材は、互いに一体成形した後に分割することで得られることを特徴とする指針表示式時計。
【請求項５】
請求項１〜４のいずれかに記載の指針表示式時計において、前記減速側の番車に噛み合って巻真の回転を伝達する中間車を有し、この中間車と前記減速側の番車との噛合位置は前記中央の番車と前記減速側の番車との噛合位置の相対する側近傍にあることを特徴とする指針表示式時計。
【請求項６】
請求項１〜５のいずれかに記載の指針表示式時計において、前記外しレバーの中央の番車の外し方向は、前記中間車と前記減速車との噛合位置と、前記中央の番車と前記減速側の番車との噛合位置とを結ぶ直線方向にあることを特徴とする指針表示式時計。
【発明の詳細な説明】
【０００１】
【発明の属する技術分野】
本発明は、指針表示式時計に係り、例えば三番車と分針が取り付けられる二番車との噛合を維持しながら三番車と四番車との噛合を外す方式の切換構造や、反対に、三番車と四番車との噛合を維持しながら三番車と二番車との噛合を外す方式の切換構造を有する指針表示式時計の改良に関する。
【０００２】
【背景技術】
実公平５−３５３５０号公報には、近年提案された切換構造を有する指針表示式時計が開示されている。この時計では、巻真の回転を分針が取り付けられた二番車に伝達する状態において、三番車を三番車外しレバーで傾けることにより、三番車と二番車との噛合を維持しながら三番車と四番車との噛合を外すように構成されている。
【０００３】
このような切換構造によれば、針合わせ時に二番車の歯車とカナとの間でスリップさせる従来の方式と比較して、スリップに対するトルク管理が不要になるから、構造が簡単であり、安価にできるというメリットがある。
【０００４】
また、輪列のトルク経路を断つにあたっては、三番車と四番車との噛合を外すのではなく、三番車と二番車との噛合を外すように構成される場合もあり（米国特許 4,862,434）、このような場合でも、前述と同様なメリットがある。
【０００５】
【発明が解決しようとする課題】
しかしながら、前記公報記載の切換構造を有する時計では、三番外しレバーと三番車とのそれぞれにアガキが設定されているため、全体としてのアガキが大きくなってしまい、通常の運針時に三番車と他の車との噛合が外れるなど、輪列の安定した回転が得られないという問題がある。
【０００６】
また、そのような噛み合い外れを防止するために、歯車やカナを厚くすることも考えられるが、このような場合には、時計の薄型化を阻害する原因となるので好ましくない。
【０００７】
本発明の目的は、番車を傾ける方式の切換構造を有する指針表示式時計において、時計を厚くせずに、その番車の噛合外れを防止して輪列を安定して回転させることにある。
【０００８】
【課題を解決するための手段】
本発明の指針表示式時計は、輪列を形成する連続した少なくとも三つの番車を有するとともに、巻真の回転が前記輪列に取り付けられた分針に伝達される状態では、前記各番車のうちの中央の番車を外しレバーで傾けることにより、この中央の番車と該番車に対して増速側の番車との噛合を維持しながら前記中央の番車と該番車に対して減速側の番車との噛合を外すか、または前記中央の番車と前記減速側の番車との噛合を維持しながら前記中央の番車と前記増速側の番車との噛合を外すように構成された切換構造を有する指針表示式時計であって、前記外しレバーは、前記中央の番車の軸方向のアガキを規定する規定部材に対して前記番車の軸方向の外側に配置されていることを特徴とするものである。
【０００９】
このような本発明によれば、中央の番車の軸方向のアガキが外しレバーとは別部材の規定部材で規定されるので、該番車は外しレバー自身のアガキに影響されることがなく、該番車のアガキが必要以上に大きくなる心配がない。従って、中央の番車がこれと噛み合う他の番車から外れることがなく、輪列が安定して回転するようになるうえ、外れるのを防止するために、歯車やカナを厚くする必要もない。
【００１０】
このような本発明においては、規定部材を輪列受で兼用してもよい。
【００１１】
また、本発明では、中央の番車と接触可能な規定部のアガキ決め部を、該アガキ決め部とこれに対向する中央の番車の対向部とが該番車が傾くに従って互いに離間するようになる位置に設けることが望ましい。
【００１２】
そして、本発明では、外しレバーを中央の番車のホゾの周面を保持可能に設けることが望ましく、また、規定部材と当該規定部材の外側に配置された保持部材との間に所定のアガキをもって介装することが望ましい。
【００１３】
さらに、本発明では、外しレバーおよび規制部材を、互いに一体成形した後に分割することで得られるようにしてもよい。
【００１４】
また、本発明では、切換構造を、中央の番車と減速側の番車との噛合を維持しながら中央の番車と増速側の番車との噛合を外すように構成し、かつ中央の番車を増速側の番車に噛み合わせる際には、増速側の番車を静止状態に維持可能に設けることが望ましい。
【００１５】
また、本発明では、減速側の番車に噛み合って巻真の回転を伝達する中間車を持ち、中間車と減速車との噛合位置は中央の番車と減速側の番車との噛合位置の相対する側近傍にあることが望ましく、さらに、外しレバーの中央の番車の外し方向は、中間車と減速車との噛合位置と、中央の番車と減速側の番車との噛合位置とを結ぶ直線方向であればさらに望ましい。
【００１６】
【発明の実施の形態】
以下、本発明の一実施形態を図面に基づいて説明する。
【００１７】
図１は、本実施形態に係る指針表示式時計の要部を示す平面図、図２は、その断面図である。
【００１８】
図１、図２において、本実施形態での時計は、指針表示式のクォーツ時計であり、ステッピングモータ１、このモータ１により駆動される五番車５、五番車５の回転が減速しながら順に伝達される四番車４、三番車３、および分針（不図示）が取り付けられる二番車２を備え、各番車２〜５で輪列が形成されている。また、この時計は、巻真６、この巻真６を軸方向の複数位置に保持する板バネ７等からなる保持機構、この保持機構によって引き出された巻真６の回転を二番車２と時針（不図示）が取り付けられる筒車８とに伝達するつづみ車９および日の裏車１０を備えている。
【００１９】
輪列を形成する各番車２〜５のうち、三番車３は地板１１および三番外しレバー（以下、外しレバーと略す）１２とで支持され、三番車３の上ホゾ３Ａが外しレバー１２の挿通孔１２Ａに挿入されることで、上ホゾ３Ａの外周が保持されるようになっている。つまり、本実施形態では、本発明の三つの番車のうち、中央の番車が三番車３であり、三番車３に対して減速側の番車が二番車２であり、増速側の番車が四番車４である。
【００２０】
外しレバー１２は、地板１１や輪列受１３と同一の含油性のある無潤滑樹脂製とされ、この輪列受１３と該輪列受１３の外側に配置された保持部材１４との間に一定のアガキ量Ｈ１（図２）をもって介装されている。この外しレバー１２は、回動軸１２Ｂが輪列受１３の軸孔１３Ａに嵌合しており、回動軸１２Ｂとは反対側の端部に設けられた係合孔１２Ｃには、規制レバー１５に設けられた第１腕部１５Ａの先端が若干の摺動幅をもって係合している。なお、保持部材１４は、輪列受１３や、モータ１を構成するコイル１Ａ、ステータ１Ｂ、および水晶発振器等を保持する金属製の部材である。
【００２１】
規制レバー１５は、回動軸１５Ｂを中心に回動可能であり、基端側（回動軸１５Ｂに近い側）の第２腕部１５Ｃが巻真６の先端で係止され、先端側（回動軸１５Ｂから離間した側）のバネ部１５Ｄが弾性変形して二点差線で示す位置で地板１１等に係止され、これにより、常に図中の右回りに回ろうとするバネ力を保有している。従って、巻真６を引いて第２腕部１５Ｃの係止状態を解除すると、規制レバー１５のバネ力によって第１腕部１５Ａが外しレバー１２を図１中の矢印方向に回動させ、よって三番車３が図３に示す状態から図３中の矢印方向に傾き、図２に示す状態になる。
【００２２】
すなわち、巻真６が引かれてその回転が二番車２に伝達される状態においては、三番車３が図２に示すように傾き、三番車３と二番車２との噛合を維持したまま、三番車３と四番車４との噛合が外れる。また、この状態では、モータ１のロータ１Ｃが規制レバー１５の第３腕部１５Ｅによって不動にされ、これに噛合する五番車５および四番車４は回転しない。そして、針合わせ等を行った後、巻真６を押し戻せば、規制レバー１５の逆向きの動きによって外しレバー１２がもとの位置に戻り、三番車３が四番車４と噛合する。
【００２３】
一方、図３、図４に示すように、輪列受１３において、二番車２と外しレバー１２との間に位置する部位には、三番車３の軸中心Ａ寄りにアガキ決め部１３Ｂが設けられている。このアガキ決め部１３Ｂは、三番車３の軸方向のアガキをアガキ量Ｈ２で規制するものであって、三番車３の軸中心Ａと外しレバー１２の軸中心Ｂとを結ぶ線Ｃに対し、三番車３が倒れ込む側（四番車４とは反対側）の領域Ｄに対応して平面Ｕ字形状に設けられている。その領域Ｄを図４中の斜線部分で示す。これにより、三番車３が図３、図４中の矢印方向に傾くに従って、アガキ決め部１３Ｂとこれに対向する三番車３の対向部３Ｂとが離間するようになり、互いの干渉が避けられる。
【００２４】
図５には、外しレバー１２、輪列受１３とが示されている。この図に示すように、それぞれ同一樹脂材料からなる外しレバー１２および輪列受１３は、一つの成形部材２０として一体に成形され、ムーブメントとして組み付けられる前に分割部２１で分割される。そして、分割した後、残った分割部２１を研削除去することで輪列受１３には半円径状の切欠部２２が形成され、この切欠部２２がモータ１駆動用のボタン形電池の収容部位に対応することになる。
【００２５】
このような本実施形態によれば、以下のような効果がある。
【００２６】
▲１▼  三番車３の軸方向のアガキが外しレバー１２とは別部材の輪列受１３で規定されるので、三番車３を外しレバー１２自身のアガキに影響されないようにでき、三番車３のアガキが必要以上に大きくなるのを防止できる。従って、通常の運針時に三番車３がこれと噛み合う二番車２や四番車４から外れるのを防いで輪列を安定して回転させることができ、また、外れるのを防止するために、それらの番車２〜４の歯車やカナを厚くする必要もないので、時計が厚くなるのも防止できる。
【００２７】
▲２▼  三番車３のアガキは従来よりある輪列受１３の一部を利用して規定されるから、アガキを規定する規定部材として特別な部材を用意する必要がなく、部品点数の増加等を防いでコストアップを抑えることができる。
【００２８】
▲３▼  輪列受１３に設けられたアガキ決め部１３Ｂは、三番車３が傾くに従って、これに対向する三番車３の対向部３Ｂと離間するようになる領域Ｄに設けられているため、三番車３を傾けた際に互いの干渉を避けることができ、三番車３を四番車４から確実に外すことができる。また、三番車３の傾き量とアガキ量Ｈ２との間には何ら依存性がないので、それぞれの設定を任意に行える。
【００２９】
▲４▼  外しレバー１２は三番車３の上ホゾ３Ａの外周を保持しているので、三番車３における軸方向に直交する方向に対しての位置決めを確実に行うことができ、三番車３と二番車２、四番車４との噛合状態を良好にできる。
【００３０】
▲５▼  外しレバー１２は輪列受１３と保持部材１４との間に一定のアガキ量Ｈ１をもって介装されているから、外しレバー１２の回動をスムーズに行え、巻真６の押し戻しも無理なく行える。
【００３１】
▲６▼  外しレバー１２と輪列受１３とは同一の樹脂材料からなり、成形部材２０として一体に成形されるため、異なる二部品を一台の金型で成形でき、工数およびコストを大幅に削減できる。
【００３２】
▲７▼  地板１１や輪列受１３のみならず、外しレバー１２もが無潤滑樹脂製であることにより、三番車３を他の番車２，４，５と同じように無潤滑で回転させることができ、潤滑油を供給する手間を省くことができる。
【００３３】
▲８▼  輪列のトルク経路を断つために、二番車２に従来のようなスリップ機構を設ける必要がないので、二番車２を容易かつ安価に製作できる。
【００３４】
▲９▼  本実施形態では、三番車３と四番車４との噛合を外すので、外された三番車３を再度四番車４に噛合させた際に三番車３が多少回転しても、この回転が減速して二番車２に伝達され、二番車２は極わずかしか回転しない。このため、時刻合わせじの二番車２すなわち分針の動きを少なくできる。
【００３５】
なお、本発明は、前記実施形態に限定されるものではなく、本発明の目的を達成できる他の構成等を含み、以下に示すような変形等も本発明に含まれる。
【００３６】
例えば、輪列受１３のアガキ決め部１３ＢがＵ字形状に設けられていたが、アガキ決め部の形状は、これに限定されるものではなく、領域Ｄに示した範囲内で任意に決めることができる。ただし、アガキ決め部１３Ｄが領域Ｄ以外の部分に設けられた場合でも、本発明に含まれる。
【００３７】
また、本発明に係るアガキ決め部は、輪列受に設けられる場合の他、例えば二番車を受ける二番受が存在する場合など、この二番受に設けてもよく、また、図６に示すように、三番車３の上面でアガキ決め部を構成し、この上面と保持部材１４との間でアガキＨ３を確保しても構わない。要するに、三番外しレバーとは別体の部材に設けられていればよい。
【００３８】
前記実施形態では、三番車３が無潤滑樹脂製であったが、このような三番車をブラス（真鍮）等の金属製としてもよい。
【００３９】
また、前記実施形態の切換構造は、三番車３と二番車２との噛合を維持しながら三番車３と四番車４との噛合を外すように構成されていたが、反対に、三番車３と四番車４との噛合を維持しながら三番車３と二番車４との噛合を外すように構成されていてもよい。このような構成は、外しレバー１２を三番車３の下ホゾ側に連結することで可能である。しかし、切換構造を実施形態のように構成する方が、前述した▲９▼の効果を得ることができるので望ましい。
【００４０】
さらに、本発明に係る切換構造としては、前述した構成の他、例えば三番車３と四番車４との間に中間車を設けた場合など、この中間車を傾けるように構成してもよいし、その他、輪列を形成する連続した少なくとも三つの番車のち、中央の番車を傾ける用に構成すれば、任意の構造を適用できる。
【００４１】
また、本発明と別の変形例を図７に示す。
【００４２】
図７において、本変形例に係る時計は、二番車２、四番車４、三番車３、三番外しレバー１２、巻真６、この巻真６の回転を二番車２と時針が取り付けられる筒車８とに伝達するつづみ車９及び日の裏車１０を前記実施形態と同様に備え、巻真６の回転を伝達する日の裏車１０と二番車２との噛合位置Ｅは、三番車３と二番車２との噛合位置Ｆの相対する側近傍に位置する様に構成されている。また、三番外しレバー１２による三番車３の外し方向は、日の裏車１０と二番車２との噛合位置Ｅと、三番車３と二番車２との噛合位置Ｆとを結ぶ直線方向であるように構成されている。前記実施形態で説明した通り、時刻修正時に巻真６が引かれてその回転が二番車２に伝達される状態においては、三番車３が図２で示したと同様に傾き、三番車３と四番車４との噛み合いが外れ、二番車２を修正できる事になる。しかし、三番車３と２番車２とは噛み合いを維持したままであるため、二番車２が修正されると三番車３も回転することになる。ここで、二番車２は日の裏車１０に修正されるため、日の裏車１０の回転方向により二番車２は地板１１の案内穴とのガタ分だけ日の裏車１０との噛合い方向と直角方向によせられることになる。
【００４３】
この位置関係により、以下の効果がある。
【００４４】
すなわち、日の裏車１０と二番車２との噛合位置は、三番車３と二番車２との噛合位置の相対する側近傍に位置するように構成され、三番外しレバー１２による三番車３の外し方向は、日の裏車１０と二番車２との噛合位置と、三番車３と二番車２との噛合位置とを結ぶ直線方向であるため、三番車３と二番車２との噛合距離をガタに影響されることなく均一に保つことができ、二番車２が修正されると同時に三番車３もスムーズに回転させることができる。
【００４５】
そして、本発明の指針表示式時計としては、前記実施形態のような電子制御式に限定されず、ゼンマイを有する機械式や、特開平８−５７５８号公報に記載されているような、ゼンマイおよび発電機を備えた電子制御式機械時計であってもよい。
【００４６】
【発明の効果】
以上に述べたように、本発明によれば、番車を傾ける方式の切換構造を有する指針表示式時計において、時計を厚くせずに、その番車の噛合外れを防止して輪列を安定して回転させることができるという効果がある。
【図面の簡単な説明】
【図１】本発明の一実施形態に係る指針表示式時計の要部を示す平面図である。
【図２】第１実施形態を示す断面図である。
【図３】第１実施形態の他の状態を示す断面図である。
【図４】前記他の状態を示す平面図である。
【図５】第１実施形態の構成部材の製造方法を説明するための平面図である。
【図６】本発明の変形例を示す断面図である。
【図７】本発明の他の変形例を示す平面図である。
【符号の説明】
２  減速側の番車である二番車
３  中央の番車である三番車
３Ａ  ホゾ
３Ｂ  対向部
４  増速側の番車である四番車
６  巻真
１２  外しレバーである三番車外しレバー
１３  規定部材としての輪列受
１３Ｂ  アガキ決め部
１０  中間車である日の裏車
Ｅ，Ｆ  噛合位置
【図１】
0003635950.tif 000002
【図２】
0003635950.tif 000003
【図３】
0003635950.tif 000004
【図４】
0003635950.tif 000005
【図５】
0003635950.tif 000006
【図６】
0003635950.tif 000007
【図７】
0003635950.tif 000008